(57)【特許請求の範囲】
【請求項１】
管が挿入される受口を備えた継手本体と、前記受口に前記継手本体の軸方向に移動可能に取り付けられる筒状体と、受口内に挿入された管の外面に密接して、縮径することで前記受口から管を抜け止めする抜止リングとを備えた管継手であって、
前記継手本体には、前記抜止リングを収容する収容部と、該収容部の先端側に前記抜止リングが移動して該抜止リングを縮径させるためのテーパ部とを有してなり、
前記筒状体は、受口の内面に挿入される内筒を備え、前記内筒が前記テーパ部に突出することなく前記抜止リングが前記テーパ部に移動するのを許容する第一位置と、前記内筒の周端が前記テーパ部に突出して前記抜止リングが前記テーパ部に移動するのを防止する第二位置との間で往復動可能に設けられ、
前記抜止リングは、ゴム製のシールリングであり、
前記筒状体が前記第一位置又は第二位置の状態で、前記受口に管が挿入可能に形成され、前記第一位置の状態においては、前記抜止リングが、前記管が移動するのに付随して、前記テーパ部に移動して管が抜け出るのを防止し、第二位置の状態においては、前記抜止リングが前記テーパ部に移動することなく管を引き抜き可能である管継手。
【請求項２】
管が挿入される受口を備えた継手本体と、前記受口に前記継手本体の軸方向に移動可能に取り付けられる筒状体と、受口内に挿入された管の外面に密接して、縮径することで前記受口から管を抜け止めする抜止リングとを備えた管継手であって、
前記継手本体には、前記抜止リングを収容する収容部と、該収容部の先端側に前記抜止リングが移動して該抜止リングを縮径させるためのテーパ部とを有してなり、
前記筒状体は、前記継手本体の外側を覆う外筒と、受口の内面に挿入される内筒とを備え、前記内筒が前記テーパ部に突出することなく前記抜止リングが前記テーパ部に移動するのを許容する第一位置と、前記内筒の周端が前記テーパ部に突出して前記抜止リングが前記テーパ部に移動するのを防止する第二位置との間で往復動可能に設けられ、
前記筒状体が前記第一位置又は第二位置の状態で、前記受口に管が挿入可能に形成され、前記第一位置の状態においては、前記抜止リングが管と共に前記テーパ部に移動して管が抜け出るのを防止し、第二位置の状態においては、前記抜止リングが前記テーパ部に移動することなく管を引き抜き可能であり、
前記筒状体は、周方向へ回動されることによって、前記継手本体に対して前記第一位置と前記第二位置との間を軸方向へ移動するように案内されることを特徴とする管継手。
【請求項３】
前記抜止リングは、ゴム製のシールリングである請求項２記載の管継手。
【請求項４】
継手本体は、収容部の奥端に位置し抜止リングの管との共移動を規制するリング受け止め部と、このリング受け止め部より奥側に位置し、挿入時に管端に当接する管端止め部とを備え、管の挿入時に管端から前記リング受け止め部の分だけ離れた位置で前記抜止リングが位置し、
継手本体の少なくとも前記管端止め部と前記リング受け止め部との間の部分が、外側から挿入された管が見えるように、透明又は半透明の素材で構成されている請求項１から３のいずれか記載の管継手。
【請求項５】
抜止リングの外周面の、継手本体の内周面に接触する部分に、かつ／または、前記継手本体の内周面の、前記抜止リングの外周面に接触する部分に、相互間の滑りを良くする潤滑剤を塗布あるいは付着させた請求項１から４のいずれか記載の管継手。
【請求項６】
前記継手本体と前記筒状体とは、係合凸部と係合溝とで係合してなり、
前記係合溝は前記筒状体を周方向に回動させることにより、前記筒状体を前記継手本体に対して軸方向に移動させるように案内する請求項１から５のいずれか記載の管継手。
【請求項７】
請求項１から６のいずれか記載の管継手と、前記管継手の受口でない側に連結された所定長さの管とからなる管継手付き管。
【発明の詳細な説明】
【技術分野】
【０００１】
本発明は、管を連結するための管継手と管継手付き管とに関する。
【背景技術】
【０００２】
気体や、水などの流体を輸送するのに管が用いられるが、管の素材によらず、管路を形成する管として提供される長さには限度がある場合などを含め、管継手で管を連結する必要があり、その際、管継手の管は必要に応じて挿入と抜き外しが可能でかつ抜け止めも可能としたい場合がある。
【０００３】
このような管継手について多数のものが提案されているが、例えば、簡易に管の抜き外しを可能とする管継手として、特許文献１に記載のものがある。
【０００４】
この特許文献１に記載の管継手は、抜止リング（２）（以下特許文献１で用いている符号をカッコ内に示す。）を収容した継手本体（１）の外壁に孔部（４、５）を設け、この孔部（４、５）にドライバーを差し込んで操作することで、管の抜き外しを可能としてるが、ドライバーのような工具を必要とするものであった。
【先行技術文献】
【特許文献】
【０００５】
【特許文献１】特開平１１−１７３４７３号公報（図２）
【発明の概要】
【発明が解決しようとする課題】
【０００６】
本発明は、上記問題を改善しようとするもので、別個の工具等を必要とすることなく、継手自体の簡易な操作で、管の挿入、抜き外し、及び、抜け止めを可能とする管継手と管継手付き管とを提供することを解決課題とする。
【課題を解決するための手段】
【０００７】
本発明の管継手は、管が挿入される受口を備えた継手本体と、前記受口に前記継手本体の軸方向に移動可能に取り付けられる筒状体と、受口内に挿入された管の外面に密接して、縮径することで前記受口から管を抜け止めする抜止リングとを備え、  
前記継手本体には、前記抜止リングを収容する収容部と、該収容部の先端側に前記抜止リングが移動して該抜止リングを縮径させるためのテーパ部とを有してなり、
前記筒状体は、受口の内面に挿入される内筒を備え、前記内筒が前記テーパ部に突出することなく前記抜止リングが前記テーパ部に移動するのを許容する第一位置と、前記内筒の周端が前記テーパ部に突出して前記抜止リングが前記テーパ部に移動するのを防止する第二位置との間で往復動可能に設けられ、
前記筒状体が前記第一位置又は第二位置の状態で、前記受口に管が挿入可能に形成され、前記第一位置の状態においては、前記抜止リングが管と共に前記テーパ部に移動して管が抜け出るのを防止し、第二位置の状態においては、前記抜止リングが前記テーパ部に移動することなく管を引き抜き可能であるので、別個の工具等を必要とすることなく、継手自体の簡易な操作で、管の挿入、抜き外し、及び、抜け止めを可能とすることができる。
【０００８】
本発明の管継手において、継手本体は、収容部の奥端に位置し抜止リングの管との共移動を規制するリング受け止め部と、このリング受け止め部より奥側に位置し、挿入時に管端に当接する管端止め部とを備え、管の挿入時に管端から前記リング受け止め部の分だけ離れた位置で前記抜止リングが位置するので、抜け止めリングが確実に管の外周に密接することができ、接続が確実に行われる。
【０００９】
また、本発明の管継手において、継手本体の少なくとも前記管端止め部と前記リング受け止め部との間の部分が、外側から挿入された管が見えるように、透明又は半透明の素材で構成されているので、管端が管端止め部に接触しているのを外側から確認することができる。
【００１０】
本発明の管継手において、抜け止めリングは、ゴム製のシールリングとすることができ、その場合、流体シール効果を発揮させることができる。
【００１１】
本発明の管継手において、抜け止めリングの外周面の、継手本体の内周面に接触する部分に、かつ／または、前記継手本体の内周面の、前記抜け止めリングの外周面に接触する部分に、相互間の滑りを良くする潤滑剤を塗布あるいは付着させせると、管につられて抜け止めリングが、継手本体内を確実に移動し、抜け止めリングのテーパー部での管の抜け止め、収容部での管への非拘束が確実に行われる。
【００１２】
本発明の管継手においては、前記継手本体と前記筒状体とは、係合凸部と係合溝とで係合するようにでき、前記係合溝は前記筒状体を周方向に回動させることにより、前記筒状体を前記継手本体に対して軸方向に移動させるように案内するようにでき、その場合、簡単な筒状体の回動動作でその第一位置、第二位置間の移動を達成することができる。
【００１３】
本発明の管継手付き管は、上記の管継手と、前記管継手の筒状体でない側に連結された所定長さの管とからなるので、現場で管路を形成する際に、管の接合固定が不要になる。
【発明の効果】
【００１４】
本発明の管継手、管継手付き管の効果は、上記手段に記載した通りである。
【図面の簡単な説明】
【００１５】
【図１】本発明の管継手の一例を示すもので、（ａ）は、その上面図、（ｂ）は、その正面図、（ｃ）は、その右側面図、（ｄ）は、そのＡＡ断面図
【図２】図１の管継手の分解斜視図
【図３】（ａ）は、図１の継手本体の断面図、（ｂ）は、（ａ）の上面図、（ｃ）は、図１の筒状体の縦断面図、（ｄ）は、（ｃ）の外周面展開図、（ｅ）は、図１の抜    止リングの縦断面図
【図４】（ａ）、（ｂ），（ｃ）は、図１の管継手の様々な使用態様を示す縦断面図
【図５】本発明の管継手付き管の一例を示す外観正面図
【図６】本発明の管継手の別例の使用態様を示す縦断面図
【図７】本発明の管継手の別例の使用態様を示す一部破断の図
【発明を実施するための形態】
【００１６】
以下に、本発明の実施の形態について、図面を用いて説明する。
【実施形態１】
【００１７】
図１は、本発明の管継手の一例を示すもので、（ａ）は、その上面図、（ｂ）は、その正面図、（ｃ）は、その右側面図、（ｄ）は、そのＡＡ断面図である。
【００１８】
この管継手５は、一方は管Ｐの端部に接合固定され、他方に管を着脱かつ抜け止め可能に接続する管継手５であって、管が挿入される受口１ｃを備えた継手本体１と、受口１ｃに継手本体１の軸方向に移動可能に取り付けられる筒状体２と、受口１ｃ内に挿入された管の外面に密接して、縮径することで受口１ｃから管を抜け止めする抜止リング３とを備えたものである。
【００１９】
なお、図１（ｄ）に示すように、所定長さの管Ｐを管継手５に接合固定したものを管継手付き管１０とする。また、この管継手５と管継手付き管１０とは、主に、換気用の管路に用いられるものであるが、その用途は換気用に限定されるものではない。また、管Ｐの素材は、ポリ塩化ビニル（ＰＶＣ）が好適であるが、これに限定されず、他の耐候性、耐久性、成形性のよい合成樹脂や、金属であってもよい。管Ｐの形状も波付き管や、角管であってもよい。
【００２０】
図２は、図１の管継手の分解斜視図、図３（ａ）は、図１の継手本体の断面図、（ｂ）は、（ａ）の上面図、（ｃ）は、図１の筒状体の縦断面図、（ｄ）は、（ｃ）の外周面展開図、（ｅ）は、図１の抜止リングの縦断面図である。これよりすでに説明した部分と同じ部分には同じ符号を付して重複説明を省略する。
【００２１】
以下、図１も参照しつつ、図２、３を用いて、管継手５の各構成部品について、より詳しく説明する。
【００２２】
まず、図２を用いて、継手本体１の分割構造について説明する。継手本体１は円筒状であって、その内周側に、抜止リング３を収容する収容部１ａと、収容部１ａの先端側に抜止リング３が移動して抜止リング３を縮径させるためのテーパ部１ｂとを形成した本体外側部１ｈと、挿入時に管端に当接する管端止め部１ｅと、管端止め部１ｅの外周から部分的に収容部１ａ方向に突出し、抜止リング３の管Ｐとの共移動を規制するリング受け止め部１ｆとを備えた本体内側部１ｉとで構成されている。
【００２３】
本体外側部１ｈは、本体内側部１ｉの外周に、その収容部１ａ側筒端が、管端止め部１ｅの外周の外側に一致し、固定接合されて、継手本体１を形成する。本体外側部１ｈは、透明または半透明の素材で形成してもよく、その場合、管を管端止め部１ｅまで挿入した際、リング受け止め部１ｆ以外の部分では、外から、後述する筒状体２の係合溝２ｄを通して管端が管端止め部１ｅに接触しているかどうかを確認することができる。
【００２４】
なお、本体外側部１ｈの素材は、ポリエチレンテレフタレート（ＰＥＴ）が好適であるが、耐候性、耐久性、成形性が良い合成樹脂であれば良く、前記材料に限定されるものではない。本体内側部１ｉの素材は、ポリエチレンテレフタレート（ＰＥＴ）が好適であるが、耐候性、耐久性、成形性が良い合成樹脂であれば良く、前記材料に限定されるものではない。
【００２５】
また、両者を一体成形してもよく、その場合にいわゆる２色成形の方法を用いて、本体外側部の少なくとも前記管端止め部と前記リング受け止め部との間の部分を外側から挿入された管が見えるように、透明あるいは半透明とすることができる。
【００２６】
また、継手本体は、収容部の奥端に位置し抜止リングの管との共移動を規制するリング受け止め部と、このリング受け止め部より奥側に位置し、挿入時に管端に当接する管端止め部とを備え、管の挿入時に管端から前記リング受け止め部の分だけ離れた位置で前記抜止リングが位置するものであれば良く、上記構成のものに限定されない。
【００２７】
図２（ａ）、（ｂ）に示すように、継手本体１は、全体としては段付きの筒状となり、前記収容部１ａと、前記テーパ部１ｂとを備え、これらの収容部１ａとテーパ部１ｂとで受口１ｃを形成している。
【００２８】
継手本体１は、更に、収容部１ａの外周に対向して設けられた一対の円形突起である係合凸部１ｄと、受口１ｃの奥底を形成する、前記管端止め部１ｅと、この管端止め部１ｅの受口１ｃの反対側に伸びた筒状の管接合部１ｇとを備えている。
【００２９】
管接合部１ｇの内周には、一方の管Ｐが接合固定され、その管Ｐの内径に対して、管端止め部１ｅの内径は同一かより大きく、管Ｐの外径より小さいものとされ、この管端止め部１ｅの裏面側に管Ｐの管端が当接し、その際、管端止め部１ｅの内周部分が、管Ｐの内周より中心方向に突出することなく、輸送される流体の障害となることがない。
【００３０】
筒状体２は、受口１ｃの内面に挿入される内筒２ａと、継手本体１の受口１ｃの外側を覆う外筒２ｂと、内筒２ａと外筒２ｂとを連結する連結部２ｃを備えた、連結部２ｃで閉止された二重筒形状のものとなっている。
【００３１】
筒状体２は、継手本体１に対して、その内筒２ａがテーパ部１ｂに突出することなく抜止リング３がテーパ部１ｂに移動するのを許容する第一位置Ｉと、内筒２ａの周端がテーパ部１ｂに突出して抜止リング３がテーパ部１ｂに移動するのを防止する第二位置IIとの間で往復動可能に設けられているが、その作用効果については図４を用いて説明する。
【００３２】
筒状体２の外筒２ｂには、継手本体１の係合凸部１ｄが嵌まり込む係合溝２ｄが、対向する一対の係合凸部１ｄに対応して、図３（ｄ）で解るように外筒２ｂの外周に対向する位置に一対で設けられている。係合溝２ｄの全体形状は、外筒２ｂの外周をほぼ９０度に渡って穿孔された長孔溝で、両端は外筒２ｂの軸方向に直交する方向に平行で、その両端間を前記平行方向に鋭角で交わる傾斜溝で連結したものとなっている。
【００３３】
係合溝２ｄの溝幅は、係合凸部１ｄがガタ付き無く嵌まり込むものとなっているが、両端の前記平行部分には、先端側に、係合凸部１ｄを収容可能な長さだけ残す位置に、この係合溝２ｄの溝幅を狭くするような返り止め突起２ｅがあり、この止め突起２ｅの係合溝２ｄの内側には、止め突起２ｅの溝側への出没を可能とする突起変形用溝２ｆが設けられている。
【００３４】
このような構成で、継手本体１の係合凸部１ｄを係合溝２ｄに嵌め入れて、継手本体１の外側を覆う筒状体２は、その係合溝２ｄが筒状体２を周方向に回動させることにより、筒状体２を継手本体１に対して第一位置と第二位置との間を軸方向に移動させるように案内すると共に、その係合溝２ｄの両端の平行部分では、筒状体２が戻り方向に回動するのを返り止め突起２ｅにより制止し、各位置状態を維持する。
【００３５】
この返り止め突起２ｅは、放置状態では筒状体２の回動を規制するものであるが、突起変形用溝２ｆの作用により、意図的に筒状体２を回動させる場合には、その回動を許容するものである。
【００３６】
筒状体２の素材は、ポリカーボネート（ＰＣ）が良いが、耐久性、耐候性、成形性の合成樹脂であればよく、前記材料に限定されるものではない。
【００３７】
抜止リング３は、ゴム製のシールリング形状であり、内側の管Ｐに接触するシールリップ部３ａと、このシールリップ部３ａとリップ３ａの反対側から連続して外周側を形成する外周リング部３ｂとを備えている。
【００３８】
シールリップ部３ａの内径は、管Ｐの外径に対応したもので、シール効果を有するものであっても良く、シール効果のないものであってもよい。ただし、シールリップ部３ａは、外側からの縮径を受けない状態であっても、管Ｐに外挿した場合には、手を離しても、抜止リング３が管Ｐに対して移動しない程度に管Ｐの外周に密接し、共移動するものである。
【００３９】
一方、抜止リング３は、リング部３ｂへの縮径を受けた場合には、管Ｐの移動を阻止する、つまり、抜け止め効果を発揮するように構成されている。
【００４０】
なお、抜止リングは、ゴム製のシールリング３に限定されるものではなく、管Ｐの外周に密接し、縮径を受けた場合には、抜け止め効果を発揮するものであればよく、例えば、Ｃ型リング（軸直角断面の形がＣ字形状、つまり、円筒状の一部を切り欠いた形状の合成樹脂製あるいは金属製のリング体）と称されるものであってもよい。
【００４１】
図４（ａ）、（ｂ），（ｃ）は、図１の管継手の様々な使用態様を示す縦断面図である。この図を用いて、上記のような構成の管継手５の特徴とする作用効果について説明する。この図において、第一位置にある筒状体２を２（Ｉ）、第二位置にある筒状体２を２（II）として表記している。なお、図１の筒状体２（Ｉ）も第一位置にある。
【００４２】
図４（ａ）は、筒状体２（II）が、その内筒２ａの周端が継手本体１のテーパ部１ｂに突出して、かつ、抜止リング３がこの内筒２ａの周端で規制されて、継手本体１の収容部１ａに位置して止まりテーパ部１ｂに移動することのない、第二位置IIにある状態を示している。よって、抜止リング３は収容部１ａに位置して縮径状態ではなく、管Ｐを挿入し、かつ、引き抜くことができる。
【００４３】
ここで、管Ｐの管端は、継手本体１の管端止め部１ｅに接触しているが、抜止リング３は、リング受け止め部１ｆに規制されて、その管端より、このシールリップ部３ａは、リング受け止め部１ｆ分（距離Ｈ１）だけ管端から反対側へ離れた管外周に接触した状態であることを確認する。
【００４４】
図４（ｂ）は、筒状体２（Ｉ）が、内筒２ａがテーパ部１ｂに突出することなく抜止リング３がテーパ部１ｂに移動するのを許容する第一位置Ｉにある状態を示している。これは、図４（ａ）の状態で、管Ｐの挿入後、筒状体２を回動させて、第二位置から第一位置に移動させた状態であり、この状態で管の接続状態が維持されるようにしても良い。
【００４５】
図４（ｃ）は、図４（ｂ）の状態から管Ｐを引き抜こうと図の上方へ距離Ｈだけ引き上げた状態を示している。その際、管Ｐと抜止リング３とは共に上方へ移動し、抜止リング３は、継手本体１のテーパ部１ｂに移動して縮径し管Ｐが受口１ｃから引き抜かれるのを防止する。
【００４６】
一方、図４（ｃ）の場合で、管Ｐが無く、筒状体２（Ｉ）が第一位置にあって、抜止リング３がテーパ部１ｂにある状態であっても、管Ｐを挿入することによって、抜止リング３は管Ｐと共に移動し、図４（ｂ）に示すように、収容部１ａに位置することとなる。
【００４７】
つまり、この管継手５においては、筒状体２が第一位置にある場合、すでに管Ｐが挿入されている場合には抜止め効果を発揮し、新しく管Ｐを挿入する場合には、その挿入を許すようになっている。
【００４８】
換言すれば、この管継手５は、筒状体２が第一位置Ｉ又は第二位IIの状態で、受口１ｃに管が挿入可能に形成され、第一位置の状態においては、抜止リング３が管と共にテーパ部１ｂに移動して管が抜け出るのを防止し、第二位置の状態においては、抜止リング３がテーパ部１ｂに移動することなく管を引き抜き可能であることを特徴とし、その際、ドライバー等の別個の工具を必要としない。
【００４９】
こうして、本発明の管継手５によれば、別個の工具等を必要とすることなく、継手自体の簡易な操作で、管の挿入、抜き外し、及び、抜け止めを可能とすることができる。
【００５０】
なお、図４に示すように、この管継手５においては、リング受け止め部１ｆがあるので、抜止リング３のシールリップ部３ａは挿入状態で管端から距離Ｈ１離れた位置で、管の外周に接触しているので、たとえ、管端が管Ｐの軸直角に正確に切断されていない場合でも、管の外周との密着不良ということが生じなく、シールを確実に保持することができる。
【００５１】
また、この管継手５は、図４（ｃ）に示すように、管Ｐを距離Ｈ２だけ引き出して、抜止リング３が縮径して抜け止め機能を発揮している状態で接続状態とすることもでき、その場合、管端止め部１ｅとの間に距離Ｈ２の隙間があるので、内部の流体の温度上昇により管Ｐが伸びても、その伸びを吸収することができ、温度上昇に伴う管伸長の問題を回避することができる。
【００５２】
逆に、図４（ｂ）に示す状態で、内部流体の温度低下により管Ｐが短くなったとしても、図４（ｃ）の状態となるだけで、縮径により、シール状態、抜け止め状態が向上するだけである。なお、図４（ｃ）の縮径して抜け止め状態で、内部流体の温度低下により管Ｐが短くなったとしても、抜止リング３と継手本体１のテーパ部１ｂの先端との間にはまだ余裕の隙間がり、その短縮は、よりシール状態、抜け止め状態を向上させるものなので問題は生じない。
【００５３】
また、抜止リング３は管Ｐの移動に伴い継手本体１の受口１ｃの収容部１ａとテーパ部１ｂとの間を共移動し、この際、抜止リング３のシールリップ部３ａと管ｐとの接触位置は管端から距離Ｈ１離れた位置にあるので、万が一、この共移動に多少のスリップがあったとしても、シールリップ部３ａは管Ｐの全外周に密着し、抜止リング３と管Ｐとの内側のシールが好適に維持される。
【００５４】
なお、抜け止めリング３の外周面の、継手本体１の内周面に接触する部分に、かつ／または、継手本体１の内周面の、抜け止めリング３の外周面に接触する部分に、相互間の滑りを良くする潤滑剤を塗布あるいは付着させると、抜け止めリング３の継手本体１対する滑りが良くなり、管につられて抜け止めリング３が、継手本体１内を確実に移動し、抜け止めリング３のテーパー部１ｂでの管の抜け止め、収容部１ａでの管への非拘束が確実に行われるようになる。
【００５５】
潤滑剤としてはポリテトラフルオロエチレン（ＰＴＦＥ）またはフッ素（Ｆ）を含有するものがよいが、これに限定されず、滑りを良くし、かつ、塗布あるいは付着後長期間滑り性能を維持し、かつ、耐候性の良いものが好ましい。
【００５６】
図５は、本発明の管継手付き管の一例を示す外観正面図であり、この図の管継手５は図１〜４で説明した管継手付き管１０であり、その管継手５の管接合部１ｆに所定長さの管Ｐを接着等の方法により、接合固定したものであり、管継手５の効果を管継手付き管１０として発揮する。
【００５７】
また、一般に管路の形成は、このような管継手付き管１０を順に連結して行われるものであり、その際、現場において管Ｐとの接合固定の手間を省くことができる。
【実施形態２】
【００５８】
図６は、本発明の管継手の別例の使用態様を示す一部破断の図である。
【００５９】
この管継手５Ａは、図１の管継手５に比べ、その継手本体１Ａが連結部１ｊにより連結されて、この連結部１ｊを真ん中として対向する向きに受口１ｃ、筒状体２、抜止リング３が備えられている点が、異なっている。
【００６０】
つまり、この管継手５Ａは、図１の管継手５を、両側に管Ｐを着脱可能に、かつ、抜け止め可能に連結できるようにしたもので、この管継手５Ａは、それぞれの受口１ｃに管を連結する場合に管継手５の効果を発揮することができる。
【実施形態３】
【００６１】
図７は、本発明の管継手の別例の使用態様を示す一部破断の図である。
【００６２】
この管継手５Ｂは、図１の管継手５に比べ、その継手本体１Ｂの管接合部１ｋが、接合固定する側の管Ｐをその外周側に接合固定するようになっていて、管接合部１ｋが、反対側に接続する管Ｐの内周にも達する長さとなっていて、この相手側の管Ｐとの間にＯリング１ｍが嵌め入れられるようになっている点が、異なっている。
【００６３】
このような構成の管継手５Ｂ、管継手付き管１０Ｂによれば、図１の管継手５、図４の管継手付き管１０と同様の効果を発揮する上、相手側の管Ｐの内周側のシール性をより向上させることができる。
【００６４】
なお、本発明の管継手と管継手付き管は、上記の実施形態に限定されず、特許請求の範囲に記載された範囲、実施形態の範囲で、種々の変形例、組み合わせが可能であり、これらの変形例、組み合わせもその権利範囲に含むものである。
【００６５】
例えば、筒状体を回動移動させる係合凸部を筒状体側に、係合溝を継手本体側に設けるようにしてもよい。また、筒状体の軸方向への移動方法も例示の傾斜溝を用いるのでなく、筒状体を単に軸方向に移動させる方向や、Ｚ字状の溝を用いる方法や、雄ねじと雌ねじの組み合わせを用いる方法であってもよい。
【産業上の利用可能性】
【００６６】
本発明の管継手と管継手付き管は、別個の工具等を必要とすることなく、継手自体の簡易な操作で、管の挿入、抜き外し、及び、抜け止めを可能とすることが要請される管路形成の産業分野に用いることができる。
【符号の説明】
【００６７】
Ｐ      管
１〜１Ｂ      継手本体
１ａ    収容部
１ｂ    テーパ部
１ｃ    受口
１ｄ    係合凸部
１ｅ    管端止め部
１ｆ    リング受け止め部
１ｈ    本体外側部
１ｉ    本体内側部
２      筒状体
２ａ    内筒
２ｂ    外筒
２ｃ    連結部
２ｄ    係合溝
３      抜止リング
５〜５Ｂ      管継手
１０〜１０Ｂ  管継手付き管
Ｉ      第一位置
II      第二位置
【図１】
0005588235.tif 000002
【図２】
0005588235.tif 000003
【図３】
0005588235.tif 000004
【図４】
0005588235.tif 000005
【図５】
0005588235.tif 000006
【図６】
0005588235.tif 000007
【図７】
0005588235.tif 000008